(57)【要約】【課題】通信中の端末に記憶されたコンテンツをリスト表示する場合において、リスト表示がされるまでに要する時間を短縮する。【解決手段】携帯型楽曲再生装置２０との間での通信リンク確立時に、携帯型楽曲再生装置２０に記憶されている楽曲データに係る楽曲情報のリスト表示に供する自リスト情報データ２７Ａを携帯型楽曲再生装置２０から取得する制御部１０と、取得された自リスト情報データ２７Ａに含まれる楽曲情報を、携帯型楽曲再生装置２０の固有識別情報と対応付けて記憶する端末識別テーブル３１、及び、リスト情報テーブル３０を記憶する記憶手段と、を備え、表示部１２は、通信中の携帯型楽曲再生装置２０端末に記憶されている楽曲データの楽曲情報をリスト表示する場合、端末識別テーブル３１、及び、リスト情報テーブル３０に基づいて、リスト表示する。【選択図】図１
2010161446.tif 000002
【特許請求の範囲】
【請求項１】
複数のコンテンツを記憶する端末と通信して当該端末から取得したコンテンツを再生する再生手段と、通信中の端末に記憶されているコンテンツをリスト表示する表示手段と、を備えるコンテンツ再生装置において、
前記端末との間での通信リンク確立時に、当該端末に記憶されているコンテンツのリスト表示に供するリスト情報を当該端末から取得するリスト情報取得手段と、
前記リスト情報取得手段によって前記端末から取得されたリスト情報を、当該端末を示す情報と対応付けて記憶する記憶手段と、を備え、
前記表示手段は、通信中の端末に記憶されているコンテンツをリスト表示する場合、前記記憶手段によって当該端末を示す情報と対応付けて記憶されているリスト情報に基づいて、リスト表示することを特徴とするコンテンツ再生装置。
【請求項２】
前記端末との間での通信リンクが確立し、前記リスト情報取得手段によって前記端末から新たなリスト情報である新リスト情報が取得された場合において、
前記記憶手段は、
当該端末を示す情報が前記記憶手段によって記憶されていない場合、前記新リスト情報を当該端末を示す情報と対応付けて記憶し、
当該端末を示す情報が前記記憶手段によって記憶されている場合、当該端末を示す情報と対応付けて既に記憶されているリスト情報である旧リスト情報を、前記新リスト情報によって更新することを特徴とする請求項１に記載のコンテンツ再生装置。
【請求項３】
前記記憶手段が前記新リスト情報によって前記旧リスト情報を更新している間に、通信中の端末に記憶されているコンテンツをリスト表示する場合、
前記表示手段は、前記旧リスト情報に基づいて、リスト表示することを特徴とする請求項２に記載のコンテンツ再生装置。
【請求項４】
前記記憶手段が前記新リスト情報によって前記旧リスト情報を更新している間に、通信中の端末に記憶されているコンテンツをリスト表示する場合、
前記旧リスト情報に含まれるコンテンツであって、当該端末に記憶されていないコンテンツを特定し、特定したコンテンツのリスト表示を禁止することを特徴とする請求項２又は３に記載のコンテンツ再生装置。
【請求項５】
複数の前記端末が同一のコンテンツを記憶している場合であって、前記リスト情報取得手段によって、複数の前記端末のそれぞれから当該コンテンツのリスト情報を取得している場合、
前記記憶手段は、１つのデータベースにおいて、当該コンテンツのリスト情報を、複数の前記端末を示す情報と対応付けて記憶することを特徴とする請求項１乃至４のいずれかに記載のコンテンツ再生装置。
【請求項６】
複数のコンテンツを記憶する端末と通信して当該端末から取得したコンテンツを再生する再生手段と、通信中の端末に記憶されているコンテンツをリスト表示する表示手段と、を備えるコンテンツ再生装置の制御方法であって、
前記端末との間での通信リンク確立時に、当該端末に記憶されている全てのコンテンツのリスト表示に供するリスト情報を当該端末から取得し、取得したリスト情報を、当該端末を示す情報と対応付けて記憶するとともに、
通信中の端末に記憶されているコンテンツをリスト表示する場合、前記記憶手段によって当該端末を示す情報と対応付けて記憶されているリスト情報に基づいて、リスト表示することを特徴とするコンテンツ再生装置の制御方法。
【発明の詳細な説明】
【技術分野】
【０００１】
本発明は、コンテンツを再生するコンテンツ再生装置、及び、このコンテンツ再生装置の制御方法。
【背景技術】
【０００２】
カーオーディオ装置（コンテンツ再生装置）には、楽曲データ（コンテンツ）を記憶する情報端末機器（端末）と通信可能に接続され、この情報端末機器から楽曲データを取り込んで再生するものがある（例えば、特許文献１参照）。
特許文献１のように通信中の情報端末機器から楽曲データを取り込んで再生するカーオーディオ装置では、楽曲データに係る楽曲の曲名やアーティスト名などの楽曲情報を表示部にリストとして表示することにより、楽曲情報をユーザに提供するものがある。この種のカーオーディオ装置では、楽曲情報を表示部にリスト表示する場合、リスト表示すべき情報を、情報端末機器からその都度取得し、取得した情報に基づいて、楽曲の情報をリスト表示する。
【特許文献１】特開２００３−５０５８９号公報
【発明の開示】
【発明が解決しようとする課題】
【０００３】
しかしながら、上述したカーオーディオ装置では、表示部に楽曲情報をリスト表示する場合、リスト表示すべき情報を、その都度、情報端末機器から取得するため、新たな楽曲情報を表示部にリスト表示する必要が生じるたびに、所定の通信プロトコルに従って、情報端末機器から情報を取得せねばならず、新たな楽曲情報がリスト表示されるまでに時間がかかってしまう、という問題があった。
【０００４】
本発明は、上述した事情に鑑みてなされたものであり、通信中の端末に記憶されたコンテンツをリスト表示する場合において、リスト表示がされるまでに要する時間を短縮したコンテンツ再生装置、及び、コンテンツ再生装置の制御方法を提供することを目的とする。
【課題を解決するための手段】
【０００５】
上記目的を達成するために、本発明は、複数のコンテンツを記憶する端末と通信して当該端末から取得したコンテンツを再生する再生手段と、通信中の端末に記憶されているコンテンツをリスト表示する表示手段と、を備えるコンテンツ再生装置において、前記端末との間での通信リンク確立時に、当該端末に記憶されているコンテンツのリスト表示に供するリスト情報を当該端末から取得するリスト情報取得手段と、前記リスト情報取得手段によって前記端末から取得されたリスト情報を、当該端末を示す情報と対応付けて記憶する記憶手段と、を備え、前記表示手段は、通信中の端末に記憶されているコンテンツをリスト表示する場合、前記記憶手段によって当該端末を示す情報と対応付けて記憶されているリスト情報に基づいて、リスト表示することを特徴とする。
この構成によれば、通信中の端末が記憶するコンテンツをリスト表示する場合、所定の通信プロトコルに従って、リスト表示すべき情報を当該端末から取得することなく、記憶手段によって記憶されたリスト情報に基づいて、リスト表示を行うことができる。従って、リスト表示がなされるまでに要する時間を短縮することができる。
【０００６】
ここで、上記発明のコンテンツ再生装置において、前記端末との間での通信リンクが確立し、前記リスト情報取得手段によって前記端末から新たなリスト情報である新リスト情報が取得された場合において、前記記憶手段は、当該端末を示す情報が前記記憶手段によって記憶されていない場合、前記新リスト情報を当該端末を示す情報と対応付けて記憶し、当該端末を示す情報が前記記憶手段によって記憶されている場合、当該端末を示す情報と対応付けて既に記憶されているリスト情報である旧リスト情報を、前記新リスト情報によって更新するようにしてもよい。
この構成によれば、初めて通信リンクが確立した端末、及び、過去に通信リンクが確立したことのある端末の双方について、最新のリスト情報を確実に記憶することができる。
【０００７】
また、上記発明のコンテンツ再生装置において、前記記憶手段が前記新リスト情報によって前記旧リスト情報を更新している間に、通信中の端末に記憶されているコンテンツをリスト表示する場合、前記表示手段は、前記旧リスト情報に基づいて、リスト表示するようにしてもよい。
この構成によれば、新リスト情報によって旧リスト情報を更新している間であっても、所定の通信プロトコルに従って、リスト表示すべき情報を当該端末から取得することなく、旧リスト情報に基づいて、リスト表示を行うことができる。従って、リスト表示がなされるまでに要する時間を短縮することができる。
【０００８】
また、上記発明のコンテンツ再生装置において、前記記憶手段が前記新リスト情報によって前記旧リスト情報を更新している間に、通信中の端末に記憶されているコンテンツをリスト表示する場合、前記旧リスト情報に含まれるコンテンツであって、当該端末に記憶されていないコンテンツを特定し、特定したコンテンツのリスト表示を禁止するようにしてもよい。
この構成によれば、実際に通信中の端末に記憶されていないコンテンツのリスト表示が禁止されるため、ユーザの利便性の向上を図ることができる。
【０００９】
また、上記発明のコンテンツ再生装置において、複数の前記端末が同一のコンテンツを記憶している場合であって、前記リスト情報取得手段によって、複数の前記端末のそれぞれから当該コンテンツのリスト情報を取得している場合、前記記憶手段は、１つのデータベースにおいて、当該コンテンツのリスト情報を、複数の前記端末を示す情報と対応付けて記憶するようにしてもよい。
この構成によれば、同一のコンテンツのリスト情報が異なるデータベースに記憶されることを防止でき、記憶手段における記憶効率の向上を図ることができる。
【００１０】
また、上記目的を達成するために、本発明は、複数のコンテンツを記憶する端末と通信して当該端末から取得したコンテンツを再生する再生手段と、通信中の端末に記憶されているコンテンツをリスト表示する表示手段と、を備えるコンテンツ再生装置の制御方法であって、前記端末との間での通信リンク確立時に、当該端末に記憶されている全てのコンテンツのリスト表示に供するリスト情報を当該端末から取得し、取得したリスト情報を、当該端末を示す情報と対応付けて記憶するとともに、通信中の端末に記憶されているコンテンツをリスト表示する場合、前記記憶手段によって当該端末を示す情報と対応付けて記憶されているリスト情報に基づいて、リスト表示することを特徴とする。
【発明の効果】
【００１１】
本発明は、通信中の端末に記憶されたコンテンツをリスト表示する場合、その都度、所定の通信プロトコルに従って、端末からリスト情報を取得する必要がなくなり、リスト表示がされるまでに要する時間を短縮することができる。
【発明を実施するための最良の形態】
【００１２】
以下、図面を参照して本発明の実施形態を詳述する。
＜第１実施形態＞
図１は、本発明のコンテンツ再生装置の実施形態に係る車載装置１を示すブロック図である。
この車載装置１は、乗用車等の車両に搭載され、車両に配置されたスピーカから楽曲等の音声を放音させるカーオーディオ装置である。車載装置１は、携帯型楽曲再生装置２０との間でコネクション型の近距離無線通信を行う機能を具備しており、車両に乗車したユーザが所定の操作をした場合に、周辺の無線通信エリア内（つまり、車内）に存在する携帯型楽曲再生装置２０を検索し、検索された携帯型楽曲再生装置２０と通信リンクを確立してから、この携帯型楽曲再生装置２０との間で情報を送受信し、この携帯型楽曲再生装置２０から転送される楽曲データに係る楽曲をストリーミング再生可能に構成されている。
【００１３】
コネクションレス型の近距離無線通信として、本実施形態では、Bluetooth（登録商標）が用いられる。Bluetooth通信では、Bluetooth通信機器が提供する機能を調べるためのプロファイルが規定されるため、このプロファイルにより通信リンク先がオーディオ転送可能な携帯型楽曲再生装置２０であることを特定した上で、通信リンクを確立できるようになっている。なお、無線ＬＡＮ等の他の通信方式を適用してもよい。
【００１４】
図１に示すように、この車載装置１は、制御部１０（リスト情報取得手段）と、タッチパネル１１と、楽曲データ再生部１７（再生手段）と、音声出力部１４と、無線通信部１５と、記憶部１６（記憶手段）と、を備えている。
制御部１０は、車載装置１全体を制御するコンピュータとして機能するものであり、ＣＰＵ（Central Processing Unit）や、ＣＰＵが実行する制御プログラムや各種データなどを記憶するＲＯＭ（Read Only Memory）、データを一時的に格納するＲＡＭ（Random Access Memory）などを備えている。ＲＯＭには、この車載装置１を一意に特定するための固有識別情報（例えば、Bluetoothデバイスアドレス）も格納されている。制御部１０は、後述する無線通信部１５を制御して、携帯型楽曲再生装置２０からコンテンツのリスト表示に供するリスト情報の一つである自リスト情報データ２７Ａ（後述）を取得するリスト情報取得手段としても機能する。
【００１５】
タッチパネル１１は、表示部１２（表示手段）と、タッチ操作部１３とを備えている。
表示部１２は、液晶ディスプレイを備え、制御部１０の制御の下、文字画像を含む各種画像（静止画、動画）を表示する。
タッチ操作部１３は、ユーザが車載装置１に対し指示を行う際にタッチ操作されるものであり、表示部１２に重ねて配置されている。タッチ操作部１３は、タッチ操作を検出すると、操作位置を示す操作信号を制御部１０に出力する。
【００１６】
楽曲データ再生部１７は、後述する無線通信部１５によって携帯型楽曲再生装置２０から取得した楽曲データに基づいて、デジタル音声データを生成し、音声出力部１４に出力する。本実施形態に係る楽曲データ再生部１７は、楽曲データに係る楽曲をストリーミング再生可能に構成されている。
音声出力部１４は、デジタル音声データをアナログ音声信号に変換するＤ／Ａコンバータやアンプ等を内蔵し、楽曲データ再生部１７から入力されたデジタル音声データに基づいて、各種音声を、制御部１０により指定された音量でスピーカから出力する。
【００１７】
無線通信部１５は、制御部１０の制御の下、携帯型楽曲再生装置２０と、Bluetooth規格に準拠した無線通信を行うものである。制御部１０は、無線通信部１５を制御して、通信中の携帯型楽曲再生装置２０から楽曲データを取得する。また、制御部１０は、詳細は後述するが、携帯型楽曲再生装置２０と無線通信リンクが確立した際に、制御部１０は、無線通信部１５を制御して、当該携帯型楽曲再生装置２０から自リスト情報データ２７Ａを取得する。
記憶部１６は、各種データを書き換え可能に記憶するものであり、例えば、ＥＥＰＲＯＭや、ハードディスクなどを備えている。図１に示すように、記憶部１６には、端末識別テーブル３１と、Ｘ用リスト情報テーブル３０Ｘと、Ｙ用リスト情報テーブル３０Ｙと、が記憶されているが、これらについては後述する。
【００１８】
図２は、携帯型楽曲再生装置２０の構成を示すブロック図である。
携帯型楽曲再生装置２０は、コンテンツとしての楽曲データを複数記憶し、ユーザの指示に基づいて、楽曲データに係る楽曲をヘッドホンや、イヤホンなどから出力するものであり、いわゆる携帯型音楽プレーヤである。
図２に示すように、携帯型楽曲再生装置２０は、端末側制御部２１と、端末側表示部２２と、操作部２３と、記録媒体読取部２４と、端末側楽曲データ再生部２８と、端末側音声出力部２５と、端末無線通信部２６と、端末側記憶部２７と、を備えている。
【００１９】
端末側制御部２１は、携帯型楽曲再生装置２０全体を制御するコンピュータとして機能するものであり、ＣＰＵや、ＣＰＵが実行する制御プログラムや各種データなどを記憶するＲＯＭ、データを一時的に格納するＲＡＭなどを備えている。ＲＯＭには、この携帯型楽曲再生装置２０を一意に特定するためのBluetoothデバイスアドレスなどの固有識別情報も記憶されている。
【００２０】
端末側表示部２２は、液晶ディスプレイを備え、端末側制御部２１の制御の下、文字画像を含む各種画像（静止画、動画）を表示する。
操作部２３は、ユーザが操作する操作スイッチを備え、操作スイッチを介してユーザからの動作指示を入力して端末側制御部２１に出力する。
記録媒体読取部２４は、端末側制御部２１の制御の下、記録媒体に記録されている各種データを読み出して端末側制御部２１に出力する。記録媒体は、ＣＤやＤＶＤ等の光学的記録媒体や、磁気的記録媒体、半導体記憶素子を用いたカード型あるいはスティック型の記録媒体等の、可搬型の記録媒体であり、デジタル音声データを記録可能である。
【００２１】
端末側楽曲データ再生部２８は、端末側記憶部２７に記憶された楽曲データに基づいてデジタル音声データを生成し、音声出力部１４に出力する。
端末側音声出力部２５は、デジタル音声データをアナログ音声信号に変換するＤ／Ａコンバータやアンプ等を内蔵し、端末側楽曲データ再生部２８から入力されるデジタル音声データに基づいて、各種音声を、端末側制御部２１により指定された音量で、接続されたヘッドホンや、イヤホンなどから出力するものである。
【００２２】
端末無線通信部２６は、端末側制御部２１の制御の下、車載装置１と、Bluetooth規格に準拠した無線通信を行うものである。
端末側記憶部２７は、楽曲データなどの各種データを書き換え可能に記憶するものであり、例えば、ＥＥＰＲＯＭや、ハードディスクなどを備えている。端末側制御部２１は、例えば、楽曲データが記憶された記録媒体が記録媒体読取部２４によって読み取られた場合において、記録媒体読取部２４から当該楽曲データが入力された場合、当該楽曲データを端末側記憶部２７に記憶する。
【００２３】
図２に示すように、端末側記憶部２７には、自リスト情報データ２７Ａ（リスト情報）が記憶されている。この自リスト情報データ２７Ａは、携帯型楽曲再生装置２０が端末側記憶部２７に記憶している全ての楽曲データについて、楽曲データごとの楽曲情報を示すデータを含むデータである。本実施形態では、楽曲情報には、楽曲のアーティスト名を示す情報、楽曲のアルバム名を示す情報、及び、楽曲の楽曲名を示す情報が含まれているものとする。
【００２４】
ところで、従来の車載装置１では、表示部１２に楽曲情報をリスト表示する場合、制御部１０は、無線通信部１５を制御して、携帯型楽曲再生装置２０からリスト表示しようとしている楽曲情報を取得し、取得した楽曲情報に基づいてリスト表示していた。その際、無線通信部１５は、Bluetooth規格に準拠した通信によって楽曲情報を取得する必要があり、楽曲情報を取得するまでに時間がかかり、従って、楽曲情報がリスト表示されるまでに時間がかかっていた。
【００２５】
これを踏まえ、本実施形態では、携帯型楽曲再生装置２０と通信リンクが確立した際に、制御部１０は、当該携帯型楽曲再生装置２０から上述した自リスト情報データ２７Ａを取得し、取得した自リスト情報データ２７Ａに基づいてリスト情報テーブル３０を生成し、記憶部１６に記憶する。このリスト情報テーブル３０は、異なる携帯型楽曲再生装置２０ごとに生成される。そして、以後、楽曲情報をリスト表示する必要が生じた際は、通信によってリスト表示すべき楽曲情報を携帯型楽曲再生装置２０から取得することなく、記憶部１６に記憶されたリスト情報テーブル３０に基づいて、楽曲情報をリスト表示する構成となっている。以下、リスト情報テーブル３０を含む、記憶部１６に記憶されたテーブルについて説明する。
なお、楽曲情報をリスト表示するとは、例えば、楽曲情報のうちアルバム名を示す情報を、表示部１２に一覧形式でリスト表示することを意味する。
【００２６】
図３は、端末識別テーブル３１の構成を模式的に示す図である。
上述したように、本実施形態に係る車載装置１は、通信リンクが確立したことのある携帯型楽曲再生装置２０ごとに、携帯型楽曲再生装置２０に係るリスト情報テーブル３０（後述）を生成し、生成したリスト情報テーブル３０を記憶部１６に記憶する。そして、端末識別テーブル３１は、ある携帯型楽曲再生装置２０の固有識別情報と、当該携帯型楽曲再生装置２０に係るリスト情報テーブル３０（後述）とを対応付けて記憶するテーブルである。
図３に示すように、端末識別テーブル３１の１件のレコードには、固有識別情報フィールド３１ａと、テーブル名フィールド３１ｂとが含まれている。
固有識別情報フィールド３１ａには、固有識別情報を示す固有識別情報データが格納される。
テーブル名フィールド３１ｂには、リスト情報テーブル３０の名称を示すテーブル名データが格納される。
【００２７】
図４は、リスト情報テーブル３０の構成を模式的に示す図であり、（Ａ）は、リスト情報テーブル３０の１例であるＸ用リスト情報テーブル３０Ｘの構成を模式的に示し、図４（Ｂ）は、リスト情報テーブル３０の１例であるＹ用リスト情報テーブル３０Ｙの構成を模式的に示している。
リスト情報テーブル３０は、ある携帯型楽曲再生装置２０に記憶されている楽曲データに係る楽曲情報、具体的には、アルバム名を示す情報、楽曲名を示す情報、及び、アーティスト名を示す情報について、表示部１２にリスト表示する際に、制御部１０によって参照されるテーブルであり、これらアルバム名を示す情報、楽曲名を示す情報、及び、アーティスト名を示す情報が対応付けて格納されている。上述したように、本実施形態では、制御部１０は、楽曲情報をリスト表示する場合、携帯型楽曲再生装置２０からリスト表示すべき楽曲情報を取得するのではなく、記憶部１６に記憶されたリスト情報テーブル３０に基づいて、リスト表示を行う。
【００２８】
上述したように、本実施形態では、通信リンクが確立したことのある携帯型楽曲再生装置２０ごとにリスト情報テーブル３０が生成され、記憶される。ここで、図４（Ａ）に示すＸ用リスト情報テーブル３０Ｘは、固有識別情報が「Ｘ」の携帯型楽曲再生装置２０（以下、「携帯型楽曲再生装置２０Ｘ」と言う）について生成されたリスト情報テーブル３０であり、図４（Ｂ）に示すＹ用リスト情報テーブル３０Ｙは、固有識別情報が「Ｙ」の携帯型楽曲再生装置２０（以下、「携帯型楽曲再生装置２０Ｙ」と言う）について生成されたリスト情報テーブル３０である。
【００２９】
図４（Ａ）、及び、図４（Ｂ）に示すように、リスト情報テーブル３０の１件のレコードには、アルバム名フィールド３０ａ、楽曲名フィールド３０ｂ、及び、アーティスト名フィールド３０ｃが含まれている。
アルバム名フィールド３０ａには、アルバム名を示すアルバム名データが格納される。
楽曲名フィールド３０ｂには、楽曲名を示す楽曲名データが格納される。
アーティスト名フィールド３０ｃには、アーティスト名を示すアーティスト名データが格納される。
【００３０】
次いで、リスト情報テーブル３０が生成されるタイミング、及び、生成される際の手順について説明する。
制御部１０は、ある携帯型楽曲再生装置２０について、初めて通信リンクが確立した時に、当該携帯型楽曲再生装置２０に係るリスト情報テーブル３０を生成する。
なお、初めて携帯型楽曲再生装置２０と通信リンクが確立した場合は、当該携帯型楽曲再生装置２０にかかるリスト情報テーブル３０は生成されておらず、かつ、端末識別テーブル３１の固有識別情報フィールド３１ａには、当該携帯型楽曲再生装置２０の固有識別情報データは、格納されていないこととなる。
リスト情報テーブル３０の生成に際し、制御部１０は、端末識別テーブル３１の固有識別情報フィールド３１ａに、当該携帯型楽曲再生装置２０の固有識別情報を示す固有識別情報データを格納し、テーブル名フィールド３１ｂに新たに生成するリスト情報テーブル３０の名称を示すテーブル名データを格納して、新たな１件のレコードを作成する。
【００３１】
リスト情報テーブル３０の１件のレコードを生成する際の動作について詳述すると、制御部１０は、無線通信部１５を制御して、携帯型楽曲再生装置２０から自リスト情報データ２７Ａを取得する。この自リスト情報データ２７Ａは、上述したように、当該携帯型楽曲再生装置２０が端末側記憶部２７に記憶している全ての楽曲データについて、楽曲データごとの楽曲情報（楽曲のアーティスト名を示す情報、楽曲のアルバム名を示す情報、及び、楽曲の楽曲名を示す情報）を示すデータを含んでいる。次いで制御部１０は、楽曲データ毎に、アルバム名フィールド３０ａに当該楽曲データに係るアルバム名を示すアルバム名データを、楽曲名フィールド３０ｂに当該楽曲データに係る楽曲名を示す楽曲名データを、そして、アーティスト名フィールド３０ｃに当該楽曲データに係るアーティスト名を示すアーティスト名データを格納し、１件のレコード生成する。
このようにして生成されたリスト情報テーブル３０は、携帯型楽曲再生装置２０との間の通信リンクの確立が解除された場合であっても、継続して記憶部１６に記憶される。
【００３２】
次いで、ある携帯型楽曲再生装置２０について、２回目以降に通信リンクが確立した場合について説明する。この場合、当該携帯型楽曲再生装置２０に係るリスト情報テーブル３０が記憶部１６に記憶されており、かつ、端末識別テーブル３１の固有識別情報フィールド３１ａには、当該携帯型楽曲再生装置２０の固有識別情報データが、格納されていることとなる。従って、制御部１０は、端末識別テーブル３１の固有識別情報フィールド３１ａを参照することにより、携帯型楽曲再生装置２０と通信リンクが確立したのが２回目以降であることを検出できる。
【００３３】
ある携帯型楽曲再生装置２０について、２回目以降に通信リンクが確立した場合、制御部１０は、無線通信部１５を制御して、当該携帯型楽曲再生装置２０の自リスト情報データ２７Ａを取得し、取得した自リスト情報データ２７Ａに基づいて、当該携帯型楽曲再生装置２０に係るリスト情報テーブル３０を更新する。具体的には、自リスト情報データ２７Ａに新たな楽曲データに係る楽曲情報を示すデータが含まれている場合、当該楽曲情報に基づいて、リスト情報テーブル３０に新たなレコードを生成し、一方、自リスト情報データ２７Ａから既存の楽曲データに係る楽曲情報が削除されている場合、リスト情報テーブル３０の当該楽曲データに係るレコードを削除する。
【００３４】
次いで、車載装置１が携帯型楽曲再生装置２０に記録された楽曲データを再生する動作モードである通信再生モードにおいて、ユーザが再生すべき楽曲を選択するまでの、表示部１２に表示された画面の推移について図５を用いて説明する。
通常再生モードにおいては、まず、図５（Ａ）に示すように、表示部１２にカテゴリを選択するための画面が表示される。本実施形態では、カテゴリとして、アーティスト、アルバム、及び、楽曲が存在しており、ユーザは、選択しようとしている楽曲に係るカテゴリが表示された箇所をタッチ操作して、カテゴリを選択する。なお、４１は、表示部１２にリスト表示された情報をスクロールするためのスクロールボタンであり、４２は、各種決定を行うための決定ボタンである。
本実施形態では、車載装置１と携帯型楽曲再生装置２０との間で通信リンクが確立すると、動作モードが通信再生モードへ移行し、表示部１２にカテゴリを選択するための画面（図５（Ａ））が表示される。
【００３５】
ユーザがカテゴリを選択した後は、ユーザの選択に応じた画面が順次表示される。例えば、図５（Ａ）において、カテゴリとして、アルバムが選択されたとすると、表示部１２には、選択可能なアルバムがリスト表示され（図５（Ｂ））、さらにリスト表示されたアルバムの何れかが選択されると、選択されたアルバムに係る楽曲が表示される（図５（Ｃ））。最終的にユーザは、１つの楽曲を選択する。
【００３６】
次いで、携帯型楽曲再生装置２０と通信リンクが確立した場合における車載装置１の動作について、図６に示すフローチャートを用いて説明する。
先ず、車載装置１の制御部１０は、携帯型楽曲再生装置２０と通信リンクが確立したか否かを監視する（ステップＳＡ１）。通信リンクが確立した場合（ステップＳＡ１：ＹＥＳ）、制御部１０は、無線通信部１５を制御して、当該携帯型楽曲再生装置２０との間で、Bluetooth規格に準拠した通信を行い、当該携帯型楽曲再生装置２０から固有識別情報を取得する（ステップＳＡ２）。
【００３７】
固有識別情報を取得すると、制御部１０は、端末識別テーブル３１の固有識別情報フィールド３１ａを参照し、取得した固有識別情報を示す固有識別情報データが固有識別情報フィールド３１ａに既に格納されているか否かを判別する（ステップＳＡ３）。ここで、固有識別情報データが既に格納されているとは、すなわち、過去に当該固有識別情報に係る携帯型楽曲再生装置２０と通信リンクが確立されたことがあるということである。この場合、既に、当該携帯型楽曲再生装置２０に係るリスト情報テーブル３０が生成されている。
【００３８】
ステップＳＡ３において、固有識別情報データが固有識別情報フィールド３１ａに格納されていない場合（ステップＳＡ３：ＮＯ）、制御部１０は、携帯型楽曲再生装置２０に係るリスト情報テーブル３０の生成を開始する。その際、まず、制御部１０は、端末識別テーブル３１の固有識別情報フィールド３１ａに、ステップＳＡ２で取得した固有識別情報を示す固有識別情報データを格納し、テーブル名フィールド３１ｂに新たに生成するリスト情報テーブル３０の名称を示すテーブル名データを格納して、新たな１件のレコードを作成する（ステップＳＡ４）。
【００３９】
次いで、制御部１０は、無線通信部１５を制御して、携帯型楽曲再生装置２０から自リスト情報データ２７Ａを取得し、取得した自リスト情報データ２７Ａに含まれる楽曲情報を示すデータに基づいて、リスト情報テーブル３０を生成する（ステップＳＡ５）。リスト情報テーブル３０の作成が終了したら（ステップＳＡ６：ＹＥＳ）、制御部１０は、処理を終了する。
【００４０】
一方、ステップＳＡ３において、制御部１０は、固有識別情報データが固有識別情報フィールド３１ａに格納されている場合（ステップＳＡ３：ＹＥＳ）、制御部１０は、無線通信部１５を制御して、携帯型楽曲再生装置２０から自リスト情報データ２７Ａを取得する。そして、取得した自リスト情報データ２７Ａに含まれる楽曲情報を示すデータに基づいて、携帯型楽曲再生装置２０に係るリスト情報テーブル３０を更新し（ステップＳＡ７）、更新が終了したら（ステップＳＡ８：ＹＥＳ）、処理を終了する。
【００４１】
このように、本実施形態では、携帯型楽曲再生装置２０と通信リンクが確立した場合において、当該携帯型楽曲再生装置２０の固有識別情報データが端末識別テーブル３１に記憶されていない場合、すなわち、車載装置１と携帯型楽曲再生装置２０との間で初めて通信リンクが確立した場合は、当該携帯型楽曲再生装置２０に係るリスト情報テーブル３０新たに生成する。一方、当該携帯型楽曲再生装置２０の固有識別情報データが端末識別テーブル３１に既に記憶されている場合、すなわち、当該携帯型楽曲再生装置２０に係るリスト情報テーブル３０が既に生成されている場合は、新たに取得する自リスト情報データ２７Ａに含まれる情報によって、当該リスト情報テーブル３０を更新する（ステップＳＡ７）。この構成のため、初めて通信リンクが確立した携帯型楽曲再生装置２０、及び、過去に通信リンクが確立したことのある携帯型楽曲再生装置２０の双方について、最新の楽曲データに基づく楽曲情報を確実に記憶することができる。
【００４２】
次いで、ステップＳＡ５、及び、ステップＳＡ６の処理を実行中、すなわち、固有識別情報データが固有識別情報フィールド３１ａに格納されていない場合において、携帯型楽曲再生装置２０から自リスト情報データ２７Ａを取得して、新たにリスト情報テーブル３０を生成している間における表示部１２の表示の態様について図７を用いて説明する。
【００４３】
図７は、ステップＳＡ５、及び、ステップＳＡ６の処理の実行時における表示部１２の表示の態様について説明するための図である。
ステップＳＡ５において、無線通信部１５を制御して、携帯型楽曲再生装置２０から自リスト情報データ２７Ａを取得し、取得した自リスト情報データ２７Ａに含まれる楽曲情報を示すデータに基づいて、リスト情報テーブル３０を新たに生成している間は、図７（Ａ）に示すように、制御部１０は、表示部１２にリスト情報を取得中である旨表示する。次いで、新たなリスト情報テーブル３０の生成が終了した場合（ステップＳＡ６：ＹＥＳ）、制御部１０は、リスト情報の取得が終了した旨表示する（図７（Ｂ））。その後、制御部１０は、表示部１２にカテゴリを選択するための画面を表示する。
【００４４】
次いで、ステップＳＡ７、及び、ステップＳＡ８の処理を実行中、すなわち、固有識別情報データが固有識別情報フィールド３１ａに格納されている場合において、携帯型楽曲再生装置２０から自リスト情報データ２７Ａを取得し、取得した自リスト情報データ２７Ａに含まれる楽曲情報を示すデータに基づいて、携帯型楽曲再生装置２０に係るリスト情報テーブル３０を更新している間における表示部１２の表示の態様について図８を用いて説明する。
【００４５】
図８は、ステップＳＡ７、及び、ステップＳＡ８の処理の実行時における表示部１２の表示の態様について説明するための図である。
図８（Ａ）に示すように、ある携帯型楽曲再生装置２０に係るリスト情報テーブル３０の更新中であっても、カテゴリを選択するための画面を表示する。その際、表示部１２に、リスト情報を更新中である旨の表示をする。
図８（Ａ）において、カテゴリが選択され、選択されたカテゴリに応じて楽曲情報にリスト表示を行う場合、制御部１０は、更新中のリスト情報テーブル３０に基づいて、楽曲情報のリスト表示を行う。
【００４６】
例えば、図８（Ａ）において、カテゴリとしてアルバムが選択された場合、制御部１０は、更新中のリスト情報テーブル３０のアルバム名フィールド３０ａに格納されたアルバム名データに基づいて、楽曲情報のうちアルバムを示す情報をリスト表示を行う。その際、図８（Ｂ）に示すように、現在、リスト情報を更新中である旨の表示を行い、表示されている情報が、実際に携帯型楽曲再生装置２０に記憶されている楽曲データに関する情報と必ずしも一致しない旨を報知する。
【００４７】
このように、本実施形態では、リスト情報テーブル３０の更新中に、楽曲情報をリスト表示する場合、制御部１０は、更新中のリスト情報テーブル３０に基づいてリスト表示を行う。この場合、無線通信部１５を制御して、Bluetooth規格に準拠した通信によってリスト表示すべき情報を、取得する場合と比較して、リスト表示がなされるまでにかかる時間の短縮化を図ることができる。
リスト情報テーブル３０の更新が終了した場合は、図８（Ｃ）に示すように、その旨の表示を行い、ユーザに対し、以後、表示部１２に表示される楽曲情報が、実際に携帯型楽曲再生装置２０に記憶されている楽曲情報に基づくものであることを報知する。
【００４８】
次いで、リスト情報テーブル３０の更新中に、表示部１２にリスト表示された楽曲が選択されることにより、当該楽曲を再生すること、又は、再生中の楽曲を当該楽曲に変更することがユーザによって指示された場合における車載装置１の動作について図９のフローチャートを用いて説明する。
先ず、制御部１０は、リスト情報テーブル３０の更新が終了したか否かを監視する（ステップＳＢ１）。更新が終了した場合（ステップＳＢ１：ＹＥＳ）、制御部１０は、処理を終了する。更新が終了していない場合（ステップＳＢ１：ＮＯ）、制御部１０は、リスト表示された楽曲が選択されることにより、当該楽曲の再生が指示されたか否か、もしくは、再生中の楽曲の当該楽曲への変更が指示されたか否かを判別する（ステップＳＢ２）。
【００４９】
上述したように、本実施形態では、リスト情報テーブル３０の更新中においては、更新中のリスト情報テーブル３０に基づいてリスト表示を行い、リスト表示までにかかる時間の短縮化が図られている。しかしながら、この場合、リスト表示までにかかる時間の短縮化は実現できるものの、携帯型楽曲再生装置２０から既に削除され、携帯型楽曲再生装置２０に実際には記憶されていない楽曲データに係る楽曲情報をリスト表示する、という事態が起こりえる。
【００５０】
ステップＳＢ２において、楽曲の再生が指示されていない場合、又は、再生中の楽曲の変更が指示されていない場合（ステップＳＢ２：ＮＯ）、制御部１０は、処理をステップＳＢ１に戻し、再び、更新が終了したか否かを監視する（ステップＳＢ１）。
一方、楽曲の再生が指示され、又は、再生中の楽曲の変更が指示された場合（ステップＳＢ２：ＹＥＳ）、制御部１０は、無線通信部１５を制御して、当該楽曲に係る楽曲データが、携帯型楽曲再生装置２０に記憶されているか否かを問い合わせる（ステップＳＢ３）。
【００５１】
問い合わせた結果、楽曲データが記憶されていることが判明した場合（ステップＳＢ４：ＹＥＳ）、制御部１０は、無線通信部１５を制御して、携帯型楽曲再生装置２０から楽曲データを転送させ、当該楽曲データに係る楽曲をストリーミング再生する（ステップＳＢ５）。
一方、問い合わせた結果、楽曲データが記憶されていないことが判明した場合（ステップＳＢ４：ＮＯ）、制御部１０は、表示部１２に選択された楽曲に係る楽曲データが携帯型楽曲再生装置２０に記憶されていない旨表示するとともに、リスト表示されている楽曲情報から当該楽曲データに係る楽曲情報を消去する（ステップＳＢ６）
【００５２】
以上説明したように、本実施形態では、携帯型楽曲再生装置２０から取得した楽曲データ（コンテンツ）を再生する楽曲データ再生部（再生手段）と、通信中の携帯型楽曲再生装置２０に記憶されている楽曲データに係る楽曲の楽曲情報をリスト表示する表示部１２と、を備える車載装置１（コンテンツ再生装置）において、携帯型楽曲再生装置２０との間での通信リンク確立時に、この携帯型楽曲再生装置２０から自リスト情報データ２７Ａを取得し、取得した自リスト情報データ２７Ａに基づいて、リスト情報テーブル３０を生成する。このリスト情報テーブル３０は、携帯型楽曲再生装置２０ごとに、固有識別情報と対応付けられて記憶部１６に記憶される。
そして、通信中の携帯型楽曲再生装置２０に記憶されている楽曲データに係る楽曲の楽曲情報をリスト表示する場合、当該携帯型楽曲再生装置２０に係るリスト情報テーブル３０に基づいて、リスト表示が行われる。
このため、楽曲情報をリスト表示する際、無線通信部１５を制御して、Bluetooth規格に準拠した通信を行ってリスト表示すべき情報を取得する場合と比較して、リスト表示がなされるまでに要する時間を短縮することができる。
【００５３】
また、本実施形態では、携帯型楽曲再生装置２０と通信リンクが確立した場合において、当該携帯型楽曲再生装置２０の固有識別情報データが端末識別テーブル３１に記憶されていない場合、すなわち、車載装置１と携帯型楽曲再生装置２０との間で初めて通信リンクが確立した場合は、当該携帯型楽曲再生装置２０に係るリスト情報テーブル３０を新たに生成する。一方、当該携帯型楽曲再生装置２０の固有識別情報データが端末識別テーブル３１に既に記憶されている場合、すなわち、当該携帯型楽曲再生装置２０に係るリスト情報テーブル３０が既に生成されている場合は、新たに取得する自リスト情報データ２７Ａに含まれる情報によって、当該リスト情報テーブル３０を更新する（ステップＳＡ７）。この構成のため、初めて通信リンクが確立した携帯型楽曲再生装置２０、及び、過去に通信リンクが確立したことのある携帯型楽曲再生装置２０の双方について、最新の楽曲データに基づく楽曲情報を確実に記憶することができる。
【００５４】
また、本実施形態では、リスト情報テーブル３０を更新中に、楽曲に係る情報をリスト表示する場合、制御部１０は、更新中のリスト情報テーブル３０に基づいてリスト表示を行う。この場合、無線通信部１５を制御して、Bluetooth規格に準拠した通信によってリスト表示すべき情報を、取得する場合と比較して、リスト表示がなされるまでにかかる時間の短縮することができる。
【００５５】
＜第２実施形態＞
次いで、第２実施形態について説明する。
本実施形態では、リスト情報テーブル３０の更新中において、更新中のリスト情報テーブル３０に基づいて楽曲の情報をリスト表示する場合、当該楽曲に係る楽曲データが携帯型楽曲再生装置２０に記憶されているか否かを判別し、当該楽曲データが記憶されていない場合は、当該楽曲データに係る楽曲の情報がリスト表示されることを禁止する。これにより、実際は、携帯型楽曲再生装置２０に存在しない楽曲データに係る楽曲の情報がリスト表示されることを防止し、ユーザの利便性の向上を図っている。以下、図８のフローチャートを用いて、本実施形態に係る車載装置１の動作について説明する。
【００５６】
図１０は、リスト情報テーブル３０の更新中に、表示部１２に楽曲情報をリスト表示する場合における車載装置１の動作を示すフローチャートである。なお、以下の説明では、車載装置１と携帯型楽曲再生装置２０との間で通信リンクが確立するとともに、通信リンクの確立後、車載装置１の制御部１０が携帯型楽曲再生装置２０から自リスト情報データ２７Ａを取得しているものとする。
まず、車載装置１の制御部１０は、取得した自リスト情報データ２７Ａと、既に記憶されているリスト情報テーブル３０に格納されている各データとを比較する（ステップＳＣ１）。次いで制御部１０は、比較結果に基づいて、リスト情報テーブル３０に格納された楽曲情報に係る楽曲データであって、携帯型楽曲再生装置２０に記憶されていない楽曲データを特定する。例えば、リスト情報テーブル３０に、楽曲データＬに係る楽曲情報が格納されており、携帯型楽曲再生装置２０に既に楽曲データＬが記憶されていない場合、この楽曲データＬを特定する。
次いで、制御部１０は、ステップＳＣ２において特定した楽曲データに係る楽曲情報のリスト表示を禁止する（ステップＳＣ３）。
【００５７】
以上説明したように、本実施形態では、リスト情報テーブル３０の更新中において、更新中のリスト情報テーブル３０に基づいて楽曲情報をリスト表示する場合、実際に携帯型楽曲再生装置２０に記憶されていない楽曲データを特定し、特定された楽曲データに係る楽曲情報がリスト表示されることを禁止している。これにより、実際は、携帯型楽曲再生装置２０に記憶されていない楽曲データに係る楽曲の情報がリスト表示されることを防止し、ユーザの利便性の向上を図っている。
【００５８】
＜第３実施形態＞
次いで、第３実施形態について説明する。
本実施形態では、上述した第１実施形態のリスト情報テーブル３０の構成が異なっている。
【００５９】
図１１は、本実施形態に係るリスト情報テーブル５０の構成を模式的に示す図である。
リスト情報テーブル５０の１件のレコードには、リスト情報テーブル３０と同様のデータが格納されるフィールドであるアルバム名フィールド５０ａ、楽曲名フィールド５０ｂ、及び、アーティスト名フィールド５０ｃのほか、第１固有識別情報フィールド５０ｄ、第２固有識別情報フィールド５０ｅ、及び、第３固有識別情報フィールド５０ｆが含まれている。
これら、第１固有識別情報フィールド５０ｄ、第２固有識別情報フィールド５０ｅ、及び、第３固有識別情報フィールド５０ｆには、当該レコードの楽曲情報（アルバム名、楽曲名、アーティスト名）が取得された携帯型楽曲再生装置２０の固有識別情報を示すデータが格納される。すなわち、あるレコードにおいて、第１固有識別情報フィールド５０ｄ、第２固有識別情報フィールド５０ｅ、及び、第３固有識別情報フィールド５０ｆに格納されたデータが示す固有識別情報を有する携帯型楽曲再生装置２０には、当該レコードの楽曲情報に係る楽曲データが記憶されているということになる。
【００６０】
ここで、図１１に示すリスト情報テーブル５０の１件目のレコードを参照して、第１固有識別情報フィールド５０ｄには、固有識別情報「Ｘ」を示すデータが、第２固有識別情報フィールド５０ｅには、固有識別情報「Ｙ」を示すデータが格納されている。従って、当該レコードの楽曲情報（アルバム名「ＡＡＡ」、楽曲名「Ａ１」、及び、アーティスト名「ＡＡＡＡ」）に係る楽曲データは、携帯型楽曲再生装置２０Ｘ、及び、携帯型楽曲再生装置２０Ｙのいずれにも記憶されていることとなる。この場合において、第１実施形態のように、携帯型楽曲再生装置２０ごとにリスト情報テーブル３０を生成する場合、Ｘ用リスト情報テーブル３０Ｘ、及び、Ｙ用リスト情報テーブル３０Ｙにおいて、同一の楽曲情報を有するレコードが生成されることになる。しかしながら、本実施形態では、リスト情報テーブル５０において、同一の楽曲情報を有するレコードが１件だけ生成されることとなり、記憶効率の向上を図ることが出来る。
このように、本実施形態によれば、同一の楽曲情報を有するレコードが異なるリスト情報テーブル３０に記憶されることを防止でき、記憶部１６における記憶効率の向上を図ることができる。
【００６１】
なお、上述した実施の形態は、あくまでも本発明の一態様を示すものであり、本発明の範囲内で任意に変形および応用が可能である。
例えば、上述した実施形態において、携帯型楽曲再生装置２０がコンテンツとしての楽曲データを記憶する場合を例にして、発明を説明したが、コンテンツは、楽曲データに限らず、動画データ、画像データなど他のコンテンツであってもよい。
【図面の簡単な説明】
【００６２】
【図１】第１実施形態に係る車載装置の機能的構成を示すブロック図である。
【図２】携帯型楽曲再生装置の機能的構成を示すブロック図である。
【図３】端末識別テーブルの構成を模式的に示す図である。
【図４】リスト情報テーブルの構成を模式的に示す図である。
【図５】ユーザが再生すべき楽曲を選択するまでの、表示部に表示された画面について説明するための図である。
【図６】車載装置の動作を示すフローチャートである。
【図７】新たにリスト情報テーブルを生成している間における、表示部に表示された画面について説明するための図である。
【図８】リスト情報テーブルの更新中における、表示部に表示された画面について説明するための図である。
【図９】車載装置の動作を示すフローチャートである。
【図１０】第２実施形態に係る車載装置の動作を示すフローチャートである。
【図１１】第３実施形態に係るリスト情報テーブルの構成を模式的に示す図である。
【符号の説明】
【００６３】
１  車載装置
１０  制御部（リスト情報取得手段）
１２  表示部（表示手段）
１６  記憶部（記憶手段）
１７  楽曲データ再生部（再生手段）
２０、２０Ｘ、２０Ｙ  携帯型楽曲再生装置（端末）
２７Ａ  自リスト情報データ
【図１】
2010161446.tif 000003
【図２】
2010161446.tif 000004
【図３】
2010161446.tif 000005
【図４】
2010161446.tif 000006
【図５】
2010161446.tif 000007
【図６】
2010161446.tif 000008
【図７】
2010161446.tif 000009
【図８】
2010161446.tif 000010
【図９】
2010161446.tif 000011
【図１０】
2010161446.tif 000012
【図１１】
2010161446.tif 000013